(57)【要約】【課題】小型の建物内に乾燥機などの洗濯用設備を設置したコインランドリーにおいて、乾燥機のガス燃焼用の空気を安定して供給することが可能なコインランドリーを提供する。【解決手段】乾燥機を含む洗濯用設備が建物の内部に設置されたコインランドリー１であって、建物の内部を洗濯用設備の前側の客室２１ａと洗濯用設備の後側の機械室２１ｂとに仕切る隔壁２１と、洗濯用設備と隔壁２１との間のスペースに配置され、客室２１ａと機械室２１ｂとの差圧に応じて当該スペースを開閉する開閉部材２２と、客室２１ａと建物の外部とを連通する客室側開口部と、機械室２１ｂと建物の外部とを連通する機械室側開口部とを有する。【選択図】図７
2010090641.tif 000002
【特許請求の範囲】
【請求項１】
乾燥機を含む洗濯用設備が建物の内部に設置されたコインランドリーであって、
前記建物の内部を前記洗濯用設備の前側の客室と前記洗濯用設備の後側の機械室とに仕切る隔壁と、
前記洗濯用設備と隔壁との間のスペースに配置され、前記客室と機械室との差圧に応じて当該スペースを開閉する開閉部材と、
前記客室と前記建物の外部とを連通する客室側開口部と、
前記機械室と前記建物の外部とを連通する機械室側開口部と
を有するコインランドリー。
【請求項２】
前記開閉部材は、前記隔壁に支持された柔軟材である請求項１記載のコインランドリー。
【請求項３】
前記洗濯用設備は洗濯機を含み、
前記開閉部材は前記洗濯機の上部と前記隔壁との間のスペースに配置されたものである請求項１または２に記載のコインランドリー。
【請求項４】
前記機械室の容積は１０００Ｌ以上３０００Ｌ以下である請求項１から３のいずれかに記載のコインランドリー。
【発明の詳細な説明】
【技術分野】
【０００１】
本発明は、洗濯機や乾燥機等の洗濯用設備を建物内に装備したコインランドリーに関する。
【背景技術】
【０００２】
屋外に設置された建物内に洗濯機や乾燥機等の洗濯用設備を設置したコインランドリーがある。近年、コインランドリーは小型化され、工場内で予め建物内に洗濯用設備を設置しておき、建物ごとトレーラで設置現場まで搬送する試みがなされている。
【０００３】
例えば、特許文献１には、長方形箱状をなすユニット本体内の幅方向中央付近に複数の洗濯機と複数の乾燥機とをユニット本体の長手方向に沿って隣接するように配置し、ユニット本体内の幅方向前方側に、ユニット本体の長手方向に沿って延びるように前方側通路を設けるとともに、この前方側通路に面するようにして洗面台を配置し、ユニット本体内の幅方向後方側には、ユニット本体の長手方向に沿って延びるように配管収容スペースを設けたコインランドリーが記載されている。
【０００４】
【特許文献１】特開２００２−１８０６８３号公報
【発明の開示】
【発明が解決しようとする課題】
【０００５】
ところで、このような小型の建物内に洗濯用設備を設置したコインランドリーの場合、洗濯用設備の正面側の利用者が入るスペース（前方側通路）と洗濯用設備の背面側の配管収容スペースとの間は間仕切壁によって完全に仕切られている。特に、乾燥機側は、洗濯物を乾燥させるためにガスを燃焼させるため、乾燥機の正面以外は本体全体が配管収容スペース側に収容されている。また、配管収容スペース側にはルーバーが設けられており、ガスを燃焼させるための空気は、このルーバーの間隙から建物内に取り入れられる。
【０００６】
なお、この種のルーバーには昆虫や小動物などが建物内に入らないように網が張られるのが一般的であるが、この網が長期の使用により目詰まりすることがある。そして、このように網が目詰まりしてしまうと、ガスを燃焼させるための空気が不足し、不完全燃焼することになり、熱効率が悪くなる。
【０００７】
そこで、本発明においては、小型の建物内に乾燥機などの洗濯用設備を設置したコインランドリーにおいて、乾燥機のガス燃焼用の空気を安定して供給することが可能なコインランドリーを提供することを目的とする。
【課題を解決するための手段】
【０００８】
本発明のコインランドリーは、乾燥機を含む洗濯用設備が建物の内部に設置されたコインランドリーであって、建物の内部を洗濯用設備の前側の客室と洗濯用設備の後側の機械室とに仕切る隔壁と、洗濯用設備と隔壁との間のスペースに配置され、客室と機械室との差圧に応じて当該スペースを開閉する開閉部材と、客室と建物の外部とを連通する客室側開口部と、機械室と建物の外部とを連通する機械室側開口部とを有するものである。
【０００９】
本発明によれば、洗濯用設備の後側の機械室内のガス燃焼用の空気が不足した場合には、客室と機械室との間に差圧が生じて開閉部材が開き、客室から機械室へ空気が供給される。このとき、客室には客室側開口部を通じて建物の外部から空気が流入するので、客室と建物の外部との間に差圧が生じることが防止される。
【００１０】
ここで、開閉部材は隔壁に支持された柔軟材であることが望ましい。これにより、隔壁に支持された柔軟材が自重により洗濯用設備に密着するので、洗濯用設備と隔壁と間のスペースを密閉することができるとともに、洗濯用設備の後側の機械室内のガス燃焼用の空気が不足した場合には、この柔軟材が機械室側へ引っ張られて変形することにより隔壁と洗濯用設備との間のスペースを開くので、客室から機械室へ空気が供給される。
【００１１】
また、洗濯用設備は洗濯機を含み、開閉部材は洗濯機の上部と隔壁との間のスペースに配置されたものであることが望ましい。これにより、開閉部材を開くことで、洗濯機の上部と隔壁との間のスペースを自由に利用することが可能となるので、洗濯機の上部蓋を開いてメンテナンスを行うことが可能となる。
【発明の効果】
【００１２】
（１）乾燥機を含む洗濯用設備が建物の内部に設置されたコインランドリーであって、建物の内部を洗濯用設備の前側の客室と洗濯用設備の後側の機械室とに仕切る隔壁と、洗濯用設備と隔壁との間のスペースに配置され、客室と機械室との差圧に応じて当該スペースを開閉する開閉部材と、客室と建物の外部とを連通する客室側開口部と、機械室と建物の外部とを連通する機械室側開口部とを有することにより、洗濯用設備の後側の機械室内のガス燃焼用の空気が不足した場合には、客室と機械室との間に差圧が生じて開閉部材が開き、客室から機械室へ空気が供給されるとともに、客室には客室側開口部を通じて建物の外部から空気が流入するので、乾燥機のガス燃焼用の空気を安定して供給することが可能となる。
【００１３】
（２）開閉部材が隔壁に支持された柔軟材であることにより、洗濯用設備の後側の機械室内のガス燃焼用の空気が不足した場合には、この柔軟材が機械室側へ引っ張られて変形することにより隔壁と洗濯用設備との間のスペースを開き、客室から機械室へ空気が供給されるとともに、通常は柔軟材が自重により洗濯用設備に密着して隔壁と洗濯用設備と間のスペースを密閉するので、客室と機械室とを隔離することができる。
【００１４】
（３）洗濯用設備は洗濯機を含み、開閉部材は洗濯機の上部と隔壁との間のスペースに配置されたものであることにより、開閉部材を開くことで、洗濯機の上部と隔壁との間のスペースを自由に利用することが可能となるので、洗濯機の上部蓋を開いて容易にメンテナンスを行うことが可能となる。
【発明を実施するための最良の形態】
【００１５】
図１は本発明の実施の形態におけるコインランドリーの正面図、図２は背面図、図３は右側面図、図４は左側面図、図５は平断面図、図６は図５のＡ−Ａ線断面図、図７は図５のＢ−Ｂ線断面図である。
【００１６】
図１〜図７に示すように、本発明の実施の形態におけるコインランドリー１は、建物を構成するコンテナ状のコインランドリーボックス２内に、洗濯機３ａ，３ｂ，３ｃ、乾燥機４ａ，４ｂ，４ｃ，４ｄ，４ｅ、両替機５や洗面台６などの洗濯用設備が設置されたものである。コインランドリーボックス２は予め工場内で製作され、各洗濯用設備も工場内でコインランドリーボックス２内に設置、固定され、コインランドリーボックス２とともに設置場所までトレーラにより運搬される。
【００１７】
コインランドリーボックス２は、鋼材により形成した枠組２０に鋼板、ガラス板やベニヤ板などの面材を組み合わせることにより製作されるコンテナ状のボックスである。コインランドリーボックス２は、矩形状の床部２ａと、正面側、右面側、左面側および背面側の４つの壁部２ｂ，２ｃ，２ｄ，２ｅと、天井部２ｆとから構成される。また、コインランドリーボックス２内部は隔壁２１によって洗濯用設備の前側の客室２１ａと洗濯用設備の後側の機械室２１ｂとに仕切られている。
【００１８】
正面側の壁部２ｂの中央には、コインランドリーボックス２の外側に向かって開く観音式の開閉扉７が設けられている。右面側の壁部２ｃには、コインランドリーボックス２の客室２１ａ内とコインランドリーボックス２の外部とを連通する客室側開口部８ａが設けられている。この客室側開口部８ａには開口幅を調節可能なルーバー８ｂが設けられている。また、図示しないが、客室側開口部８ａには昆虫や小動物などの侵入防止用の網が設けられている。
【００１９】
左面側の壁部２ｄには、コインランドリーボックス２の客室２１ａ内とコインランドリーボックス２の外部とを連通する客室側開口部９ａと、コインランドリーボックス２の機械室２１ｂ内とコインランドリーボックス２の外部とを連通する機械室側開口部１０ａとが設けられている。客室側開口部９ａおよび機械室側開口部１０ａには、それぞれ開口幅を調節可能なルーバー９ｂ，１０ｂが設けられている。
【００２０】
背面側の壁部２ｅには、洗濯機３ａ，３ｂ，３ｃの背面に開口部１１ａが、乾燥機４ａ，４ｂ，４ｃの背面に開口部１２ａが、乾燥機４ｄ，４ｅの背面に開口部１３ａが、それぞれメンテナンス用に設けられている。これらの各開口部１１ａ，１２ａ，１３ａには、それぞれスライド式の開閉扉１１ｂ，１２ｂ，１３ｂが設けられている。なお、開閉扉１２ｂ，１３ｂには、それぞれ一部が開口されて、ガラリ１２ｃ，１３ｃが設けられている。
【００２１】
隔壁２１は、乾燥機４ａ〜４ｅ部分においては、乾燥機４ａ〜４ｅの上部と天井部２ｆとの間を閉塞して、乾燥機４ａ〜４ｅの正面以外は全体が機械室２１ｂに収容されるように形成されている。一方、洗濯機３ａ〜３ｃ部分においては、洗濯機３ａ〜３ｃの上部と天井部２ｆとの間は、隔壁２１および開閉部材２２によって閉塞されている。但し、この洗濯機３ａ〜３ｃ部分においては、隔壁２１および開閉部材２２は、洗濯機３ａ〜３ｃの上面の大部分を客室２１ａ側に露出させ、背面側がすべて機械室２１ｂに収容される位置に配置されている。また、洗濯機３ａの左側部分においては、隔壁２１は、開閉扉２３により開閉される開口部２４と両替機５が埋め込まれる部分を除く部分に配設されている。
【００２２】
開閉部材２２は、洗濯機３ａ〜３ｃと隔壁２１との間のスペースに配置され、このスペースを開閉可能なように上部が隔壁２１に支持されている。開閉部材２２は、ゴム板や布などの自重によって変形可能な柔軟材料により形成されており、自重によって洗濯機３ａ〜３ｃの上面に密着するように形成されている。このような開閉部材２２は、通常その自重によって洗濯機３ａ〜３ｃの上面に密着するが、客室２１ａと機械室２１ｂとの間に差圧が生じた場合、その差圧に応じて引っ張られて変形し、洗濯機３ａ〜３ｃと隔壁２１との間のスペースを開くようになっている。
【００２３】
上記構成のコインランドリー１では、利用者は、開閉扉７を開閉して客室２１ａに出入りする。コインランドリーボックス２の内部は隔壁２１、開閉部材２２、洗濯機３ａ〜３ｃ、乾燥機４ａ〜４ｅ、両替機５や開閉扉２３などによって、客室２１ａと機械室２１ｂとに完全に仕切られているが、洗濯機３ａ〜３ｃ、乾燥機４ａ〜４ｅや両替機５は、正面側が客室２１ａ内に露出しているため、それぞれ操作して利用することが可能である。また、この客室２１ａ内部とコインランドリーボックス２の外部とは、それぞれルーバー８ｂ，９ｂが設けられた客室側開口部８ａ，９ａを通じて空気が流出入する。
【００２４】
一方、機械室２１ｂ側においては、左面側の壁部２ｄのルーバー１０ｂが設けられた機械室側開口部１０ａの他、開閉扉１２ｂ，１３ｂのガラリ１２ｃ，１３ｃが設けられた開口部が機械室側開口部として機能する。したがって、乾燥機４ａ〜４ｅのガス燃焼用の空気は、これらの機械室側開口部を通じてコインランドリーボックス２の外部から機械室２１ｂ内部に取り入れられる。
【００２５】
そして、何らかの要因により機械室２１ｂ内部の空気が不足した場合には、客室２１ａと機械室２１ｂとの間に差圧が生じる。この差圧により、柔軟材である開閉部材２２が機械室２１ｂ側へ引っ張られて変形し、洗濯機３ａ〜３ｃと隔壁２２との間のスペースが開かれる。これにより、客室２１ａから機械室２１ｂへ空気が供給され、乾燥機４ａ〜４ｅのガス燃焼用の空気として利用される。このとき、客室２１ａ内へは客室側開口部８ａ，９ａを通じて外部から空気が流入するので、客室２１ａ内の空気が不足することはなく、機械室２１ｂ側にも乾燥機４ａ〜４ｅのガス燃焼用の空気を安定して供給することが可能である。
【００２６】
特に、本実施形態におけるコインランドリー１では、開閉部材２２が隔壁２１に支持された柔軟材であるため、通常はこの開閉部材２２が自重により洗濯機３ａ〜３ｃに密着して隔壁２１と洗濯機３ａ〜３ｃと間のスペースを密閉するので、客室２１ａと機械室２１ｂとは完全に隔離されており、見た目も良い。
【００２７】
なお、本実施形態における開閉部材２２は、ゴム板や布などの自重によって変形可能な柔軟材であるが、開閉部材２２は硬質の板材により形成することも可能である。この場合、ヒンジなどを用いて開閉部材２２を隔壁２１に対して回動可能に支持させれば良い。この構成であっても客室２１ａと機械室２１ｂとの間に差圧が生じた場合に、その差圧に応じて回動することで、客室２１ａから機械室２１ｂへ空気を供給することが可能である。
【００２８】
特に、このような客室２１ａと機械室２１ｂとの間の差圧の発生は、機械室２１ｂの容積が１０００Ｌ以上３０００Ｌ以下の場合に顕著に現れる。したがって、本実施形態におけるコインランドリー１のように、工場内で各洗濯用設備がコインランドリーボックス２内に設置され、設置場所までトレーラにより運搬されるものの場合、機械室２１ｂの容積が１０００Ｌ以上３０００Ｌ以下となるので、開閉部材２２の効果は絶大である。
【００２９】
また、本実施形態におけるコインランドリー１では、開閉部材２２を洗濯機３ａ〜３ｃの上部と隔壁２１との間のスペースに配置しているので、この開閉部材２２を手で押して開くことで、洗濯機３ａ〜３ｃの上部と隔壁２１との間のスペースを開けて自由に利用することができるため、洗濯機３ａ〜３ｃの上部蓋を開いてメンテナンスも容易に行える。なお、開閉部材２２は、乾燥機４ａ〜４ｅと隔壁２１との間などの他の部分にスペースを設けて配置することも可能である。
【産業上の利用可能性】
【００３０】
本発明は、洗濯機や乾燥機等の洗濯用設備を建物内に装備したコインランドリーとして有用であり、特に、乾燥機のガス燃焼用の空気を安定して供給することが可能なコインランドリーとして好適である。
【図面の簡単な説明】
【００３１】
【図１】本発明の実施の形態におけるコインランドリーの正面図である。
【図２】本発明の実施の形態におけるコインランドリーの背面図である。
【図３】本発明の実施の形態におけるコインランドリーの右側面図である。
【図４】本発明の実施の形態におけるコインランドリーの左側面図である。
【図５】本発明の実施の形態におけるコインランドリーの平断面図である。
【図６】図５のＡ−Ａ線断面図である。
【図７】図５のＢ−Ｂ線断面図である。
【符号の説明】
【００３２】
１  コインランドリー
２  コインランドリーボックス
２ａ  床部
２ｂ，２ｃ，２ｄ，２ｅ  壁部
２ｆ  天井部
３ａ，３ｂ，３ｃ  洗濯機
４ａ，４ｂ，４ｃ，４ｄ，４ｅ  乾燥機
５  両替機
６  洗面台
７  開閉扉
８ａ，９ａ  客室側開口部
８ｂ，９ｂ  ルーバー
１０ａ  機械室側開口部
１０ｂ  ルーバー
１１ａ，１２ａ，１３ａ  開口部
１１ｂ，１２ｂ，１３ｂ  開閉扉
１２ｃ，１３ｃ  ガラリ
２０  枠組
２１  隔壁
２１ａ  客室
２１ｂ  機械室
２２  開閉部材
２３  開閉扉
２４  開口部
【図１】
2010090641.tif 000003
【図２】
2010090641.tif 000004
【図３】
2010090641.tif 000005
【図４】
2010090641.tif 000006
【図５】
2010090641.tif 000007
【図６】
2010090641.tif 000008
【図７】
2010090641.tif 000009